(57)【特許請求の範囲】
【請求項１】
二輪車本体に取り付けられ、着座可能な椅子本体を備えた子供用椅子と、
前記椅子本体の下方部の両側に垂下される足部支持体と、
前記足部支持体の先端に設けられ、足を載置可能なステップ部と、
前記二輪車本体の複数箇所に固定支持されると共に、前記足部支持体の垂下方向と交差するように前記二輪車本体に架け渡され、前記足部支持体の内側が当接して前記足部支持体を補強する補強用支持部材と、
を有し、
前記補強用支持部材は、前記足部支持体の内側に設けられた係止部に係止されていることを特徴とする二輪車。
【請求項２】
前記補強用支持部材の端部に開孔を備え、
前記二輪車本体にバンド状の支持体を巻き掛けて前記開孔と前記支持体の両端をネジで固定することを特徴とする請求項１に記載の二輪車。
【発明の詳細な説明】
【技術分野】
【０００１】
本発明は、子供が着座可能な子供用椅子が取り付けられた二輪車に関するものである。
【背景技術】
【０００２】
従来から、サドルの前方又は後方に子供が着座可能な子供用椅子を備えた二輪車が提案されている。
【０００３】
この二輪車には、子供が子供用椅子に乗降する時及び乗車時に足を乗せることができる足載せ部が設けられている。この足載せ部は、例えば、自転車のバックホークに取り付けられた支持部に固定支持されている（例えば、特許文献１を参照）。
【０００４】
このような二輪車では、子供が５〜６歳位になると、自分で子供用椅子によじ上ることがある。特許文献１に記載の構成では、子供が片側の足載せ部に足をかけて上ると、足載せ部に子供の体重がかかるため、足載せ部と支持部の強度が不足し、足載せ部が変形又は破損するという不具合がある。
【特許文献１】実開昭５３−４９８６２号公報
【特許文献２】特開昭５７−１６４８６８号公報
【発明の開示】
【発明が解決しようとする課題】
【０００５】
本発明は、上記問題点に鑑みてなされたものであり、子供がステップ部に足をかけて乗降してもステップ部の変形や破損を抑制できる二輪車を提供することを目的とする。
【課題を解決するための手段】
【０００６】
上記課題を解決するために、請求項１に記載の発明に係る二輪車は、二輪車本体に取り付けられ、着座可能な椅子本体を備えた子供用椅子と、前記椅子本体の下方部の両側に垂下される足部支持体と、前記足部支持体の先端に設けられ、足を載置可能なステップ部と、前記二輪車本体の複数箇所に固定支持されると共に、前記足部支持体の垂下方向と交差するように前記二輪車本体に架け渡され、前記足部支持体の内側が当接して前記足部支持体を補強する補強用支持部材と、を有し、前記補強用支持部材は、前記足部支持体の内側に設けられた係止部に係止されていることを特徴としている。
【０００７】
請求項１に記載の発明では、二輪車本体に子供用椅子が取り付けられており、子供用椅子の椅子本体に子供が着座可能となっている。椅子本体の下方部の両側に足部支持体が垂下されており、足部支持体の先端部に足を載置可能なステップ部が設けられている。二輪車本体の複数箇所には、補強用支持部材が固定支持されると共に足部支持体の垂下方向と交差するように二輪車本体に架け渡されており、補強用支持部材は、足部支持体の内側が当接することによって足部支持体を補強している。これにより、子供が足載せ部に足をかけて乗降するとき、片側のステップ部に体重がかかっても、足部支持体が補強用支持部材によって補強され、足部支持体やステップ部の変形又は破損を抑制することが可能となる。
また、補強用支持部材は、足部支持体の内側に設けられた係止部に係止されているので、補強用支持部材が足部支持体から離れることが抑制され、足部支持体をより確実に補強することが可能となる。
【０００８】
請求項２に記載の発明は、請求項１に記載の二輪車において、前記補強用支持部材の端部に開孔を備え、前記二輪車本体にバンド状の支持体を巻き掛けて前記開孔と前記支持体の両端をネジで固定することを特徴としている。
【０００９】
請求項２に記載の発明では、補強用支持部材の両端部に開孔を備えており、二輪車本体にバンド状の支持体を巻き掛けて開孔と支持体の両端をネジで固定することによって、補強用支持部材の端部が二輪車本体に固定支持されている。このため、二輪車本体に補強用支持部材を取り付けるための専用の取付部を設ける必要がなく、汎用の二輪車本体に補強用支持部材を固定することができ、低コスト化が可能となる。
【発明の効果】
【００１２】
本発明によれば、子供がステップ部に足をかけて乗降しても、足部支持体が補強用支持部材によって補強されるので、足部支持体やステップ部の変形又は破損を抑制することができる。
【発明を実施するための最良の形態】
【００１３】
以下、本発明の実施の形態を図面に基づいて説明する。
【００１４】
図１には、本発明の一実施形態である二輪車２の後方部が示されている。二輪車２には、サドル４の後方に荷台６が設けられ、この荷台６上に子供用椅子１０の椅子本体１２が図示しない取り付け金具によって固定支持されている。ここで、二輪車２は二輪車本体に子供用椅子１０を取り付けた構成であり、二輪車本体とは荷台６を含めたものを表している。
【００１５】
図２及び図３に示すように、子供用椅子１０は、腰部及び尻部を囲むように湾曲して形成された椅子本体１２を備えており、子供が着座可能となっている。椅子本体１２の上方部には、肩部を保護するショルダーガード部１４と、このショルダーガード部１４の上方で頭部を保護するヘッドガード部１６とが一体に形成されたガード本体１８が、椅子本体１２と一部が重なり合うように配設されている。また、椅子本体１２は、子供の腰面に沿って両サイドが前方に湾曲しながら延びた側面部１２Ａを備えており、この側面部１２Ａに子供の前方側をガードするように掛け渡されたハンドルバー２０が設けられている。このハンドルバー２０は、側面部１２Ａから前方側に突出する略Ｕ字状部材で構成されており、一端部を支点として他端部が開閉可能に構成されている。
【００１６】
図１及び図２に示すように、椅子本体１２の下方部の荷台６の両側に板状の足部支持体３０が垂下されており、足部支持体３０の先端には、それぞれ足を載置可能なステップ部３２が設けられている。ステップ部３２は、足が載置される載置部３２Ａと、載置部３２Ａの内側に直角方向に立設され、足部支持体３０に連結される連結部３２Ｂとを備えている。この連結部３２Ｂは、載置部３２Ａの後方側を囲むように延設されている。
【００１７】
図１に示すように、二輪車２には、サドル４を支持するシートチューブ４０から斜め下方方向に配設された２本のバックホーク４２と、荷台６から延びた２本のキャリアステー４４が設けられている。両側に配置されたバックホーク４２とキャリアステー４４との間には、足部支持体３０の内側に掛け渡された補強用ステー４６がそれぞれ固定支持されている。図４〜図６に示すように、補強用ステー４６の一端部は、バックホーク４２の上方に設けられた突片４２Ａにネジ４８を締め付けて固定している。また、補強用ステー４６の他端部は、キャリアステー４４の上方に設けられた突部４４Ａにネジ４９を締め付けて固定している。
【００１８】
図５及び図７に示すように、連結部３２Ｂの内側には、支持片５０を足部支持体３０にネジ５２を締め付けて固定しており、支持片５０には、足部支持体３０と当接するように補強用ステー４６を係止する半円状断面部材からなるフック部５０Ａが形成されている。
【００１９】
このような二輪車２では、椅子本体１２の両側に垂下される足部支持体３０の内側に補強用ステー４６を当接させることで、足部支持体３０が補強される。これにより、子供が片側のステップ部３２に足をかけて二輪車２に乗降するとき、ステップ部３２に体重がかかっても、足部支持体３０が補強用ステー４６によって補強されるので、足部支持体３０やステップ部３２の変形又は破損を抑制することができる。
【００２０】
また、補強用ステー４６は、足部支持体３０の内側に設けられた支持片５０のフック部５０Ａに係止されているので、補強用ステー４６が足部支持体３０から離れることが抑制され、足部支持体３０を確実に補強することができる。
【００２１】
次に、本発明の他の実施形態である二輪車について説明する。
【００２２】
なお、第１実施形態と同一の部材には同一の符合を付し、重複した説明は省略する。
【００２３】
図８及び図９に示すように、この二輪車１００には、荷台１０２上に、子供が着座可能な子供用椅子１１０が図示しない取り付け金具によって固定支持されている。子供用椅子１１０の後方には、背面が当接可能な背凭れ部１１１が設けられている。また、子供用椅子１１０の下方部には、荷台１０２の両側に垂下される足部支持体１１２Ａと、足が載置される載置部１１２Ｂとを一体に構成したステップ部１１２が設けられている。足部支持体１１２Ａと載置部１１２Ｂは、１本の線材を直角方向に折り曲げることによって形成している。また、足部支持体１１２Ａの外側には、足が内側に入り込むのを規制する規制板１１３が取り付けられている。
【００２４】
二輪車１００には、シートチューブ４０に連結された２本のバックホーク１０４と、荷台１０２から延設された２本のキャリアステー１０６が設けられている。両側に配置されたバックホーク１０４とキャリアステー１０６との間には、足部支持体３０の内側に掛け渡された補強用ステー１１６がそれぞれ固定支持されている。
【００２５】
バックホーク１０４とキャリアステー１０６には、補強用ステー１１６を取り付けるための支持片は設けられていない。補強用ステー１１６の一端部には、ネジ１２０を挿通可能な開孔が形成されており、バックホーク１０４にバンド状の支持体１１８を巻き掛けて支持体１１８の両端部を開孔の外側に接触させ、支持体１１８と開孔をネジ１２０で固定することで、補強用ステー１１６がバックホーク１０４に取り付けられている。また、補強用ステー１１６の他端部にもネジ１２１を挿通可能な開孔が形成されており、キャリアステー１０６にバンド状の支持体１１９を巻き掛けて支持体１１９の両端部を開孔の外側に接触させ、支持体１１９と開孔をネジ１２１で固定することで、補強用ステー１１６がキャリアステー１０６に取り付けられている。
【００２６】
図９に示すように、補強用ステー１１６は、二輪車１００の前方側の足部支持体１１２Ａと当接している。
【００２７】
このような二輪車１００では、足部支持体１１２Ａの内側に補強用ステー１１６が当接することで、足部支持体１１２Ａが補強されている。これにより、子供が片側のステップ部１１２の載置部１１２Ｂに足をかけて乗降するとき、載置部１１２Ｂに体重がかかっても、足部支持体１１２Ａが補強用ステー１１６によって補強されるので、ステップ部１１２の変形又は破損を抑制することができる。
【００２８】
また、バックホーク１０４とキャリアステー１０６に予め補強用ステー１１６を取り付けるための専用の支持片を設ける必要がなく、低コスト化が可能であると共に、汎用の二輪車に補強用ステー１１６を取り付けることが可能である。すなわち、汎用の子供用椅子１１０に対して簡単に後付でステップ部１１２の強度アップが可能となるものである。
【００２９】
なお、上記実施形態では、荷台の後ろ側のキャリアステーとバックホークに補強用ステーを取り付けているが、この構成に限定するものではない。補強用ステーの取り付け位置は、子供用椅子のステップ部を補強できる位置であれば何処でも構わない。例えば、二輪車のバックホークの代わりにキャリア前方のシート部へ連結する部分のステーに補強用ステーを取り付けても良い。
【図面の簡単な説明】
【００３０】
【図１】本発明の一実施形態である二輪車の後方部を示す側面図である。
【図２】本発明の一実施形態である二輪車に用いられる子供用椅子の斜視図である。
【図３】本発明の一実施形態である二輪車に用いられる子供用椅子の正面図である。
【図４】本発明の一実施形態である二輪車の背面側の斜視図である。
【図５】子供用椅子のステップ部及び補強用ステーを示す部分斜視図である。
【図６】子供用椅子のステップ部及び補強用ステーを示す部分側面図である。
【図７】子供用椅子のステップ部及び補強用ステーを示す一部破断断面図である。
【図８】本発明の一実施形態である二輪車の後方部を示す側面図である。
【図９】図８に示す二輪車のステップ部及び補強用ステーを示す平面図である。
【符号の説明】
【００３１】
２     二輪車
４     サドル
６     荷台
１０   子供用椅子
１２   椅子本体
１４   ショルダーガード部
１６   ヘッドガード部
１８   ガード本体
３０   足部支持体
３２   ステップ部
３２Ａ 載置部
３２Ｂ 連結部
４０   シートチューブ
４２   バックホーク（二輪車本体）
４２Ａ 突片
４４   キャリアステー（二輪車本体）
４４Ａ 突部
４６   補強用ステー（補強用支持部材）
４８   ネジ
４９   ネジ
５０   支持片
５０Ａ フック部（係止部）
５２   ネジ
１００ 二輪車
１０２ 荷台
１０４ バックホーク（二輪車本体）
１０６ キャリアステー（二輪車本体）
１１０ 子供用椅子
１１１ 背凭れ部
１１２ ステップ部
１１２Ａ      足部支持体
１１２Ｂ      載置部
１１３ 規制板
１１６ 補強用ステー
１１８ 支持体
１１９ 支持体
１２０ ネジ
１２１ ネジ
【図１】
0004789693.tif 000002
【図２】
0004789693.tif 000003
【図３】
0004789693.tif 000004
【図４】
0004789693.tif 000005
【図５】
0004789693.tif 000006
【図６】
0004789693.tif 000007
【図７】
0004789693.tif 000008
【図８】
0004789693.tif 000009
【図９】
0004789693.tif 000010